(57)【要約】【課題】本発明の原理によるシステムは、フローシート・パラメータ収集時間間隔のカラムに最も近いものの中から好適に自動的にパラメータ値を表示する。ユ−ザ・インターフェース・システムは、ユーザが選択可能な収集時間間隔を含む期間をカバーするトレンド表示ディスプレイに患者の医療パラメータ・データを提供する。【解決手段】システムは、患者のモニター装置から、複数のユーザが選択可能な患者のパラメータ収集間隔の時間のうち複数の異なる時間に対応する複数のデータ値を含む患者のパラメータを表すデータを収集する収集プロセッサを含む。データプロセッサは、前記複数の患者パラメータ収集時間間隔の略中央時点に最も近い時点の患者のパラメータ・データ値を、前記間隔長を持つ前記複数の患者パラメータ収集時間間隔に対して決定し、前記複数の患者パラメータ収集時間間隔内に収集された患者の他のパラメータ・データ値を排除する。ジェネレータは、前記特定のユーザが選択可能な収集時間間隔における前記決定した患者パラメータ・データ値を含む前記患者パラメータを患者パラメータ・データ値のトレンド表示ディスプレイに表示するイメージを表すデータを生成し、前記除外したデータ値を省略する。
2005525160.tif 000002
【特許請求の範囲】
【請求項１】
ユーザが選択可能な収集時間間隔を含むある期間をカバーするトレンド表示ディスプレイに患者の医療パラメータデータを提供するシステムであって、
前記システムは、収集時間間隔の間隔長を決定するユーザの入力データを受信し、おのおのが前記間隔長を持つ複数の患者パラメータ収集時間間隔のうち複数の異なる時点に対応する複数のデータ値を含むある患者のパラメータを表すデータを収集する収集プロセッサと、
前記複数の患者パラメータ収集時間間隔の略中央時点に最も近い時点の患者のパラメータデータ値を、前記間隔長を持つ前記複数の患者パラメータ収集時間間隔に対して決定し、前記複数の患者パラメータ収集時間間隔内に収集された患者の他のパラメータデータ値の排除をするデータプロセッサと、を備えたシステム。
【請求項２】
請求項１に記載のシステムにおいて、前記複数の患者パラメータ収集時間間隔に対応して前記複数の患者パラメータデータ値のトレンド表示ディスプレイを表示するイメージを表すデータを生成し、前記排除をしたデータ値に省略をするジェネレータを含むシステム。
【請求項３】
請求項１に記載のシステムにおいて、前記収集プロセッサは、収集時間間隔の第２の間隔長を決定するユーザの入力データを受信し、
前記データプロセッサは、前記第２の間隔長を持つ前記複数の患者パラメータ収集時間間隔の略中央時点に最も近い時点の患者のパラメータデータ値を、前記第２の間隔長を持つ複数の患者パラメータ収集時間間隔に対して動的に決定し、前記第２の間隔長を持つ前記複数の患者パラメータ収集時間間隔内に収集された患者の他のパラメータデータ値の排除をするシステム。
【請求項４】
ユーザが選択可能な収集時間間隔を含むある期間をカバーするトレンド表示ディスプレイに患者の医療パラメータデータを提供するユーザ・インターフェース・システムであって、
前記ユーザ・インターフェース・システムは、ある時間間隔を持ちユーザが選択可能な複数の患者パラメータ収集時間間隔のうち複数の異なる時点に対する複数のデータ値を含む患者のパラメータデータを受信する収集プロセッサと、
ユーザが選択可能な特定の収集時間間隔に対してユーザが選択した前記特定の収集時間間隔の略中央時点に最も近い時点の患者のパラメータデータ値の決定をし、ユーザが選択可能な前記特定の収集時間間隔内に収集された患者の他のパラメータデータ値の排除をするデータプロセッサと、
ユーザが選択可能な前記特定の収集時間間隔における前記決定をした患者パラメータデータ値を含む前記患者パラメータを患者パラメータデータ値のトレンド表示ディスプレイを表示するイメージを表すデータを生成し、前記排除をしたデータ値の省略をするジェネレータと、を備えたユーザ・インターフェース・システム。
【請求項５】
請求項４に記載のユーザ・インターフェース・システムにおいて、前記期間及びユーザが選択可能な前記特定の収集時間間隔とは異なる前記第２の収集時間間隔を含む複数の第２の収集時間間隔のユーザの選択に応答して、前記データプロセッサは前記第２の収集時間間隔の略中央時点に最も近い時点の患者の別のパラメータデータ値を自動的に決定をし、前記第２の収集時間間隔において収集された患者の他のパラメータデータ値を排除するユーザ・インターフェース・システム。
【請求項６】
請求項４に記載のユーザ・インターフェース・システムにおいて、ユーザによるコマンドの入力及び患者のパラメータデータ値の入力に応答して、前記データプロセッサは、ユーザが入力した前記データ値を、前記特定の患者が選択可能な収集時間間隔に対する前記決定をした患者のパラメータデータ値として使用し、ユーザが選択可能な前記特定の収集時間間隔において収集された患者のその他のデータ値の排除をするユーザ・インターフェース・システム。
【請求項７】
請求項６に記載のユーザ・インターフェース・システムにおいて、前記データプロセッサは、ユーザが選択可能な前記特定の収集時間間隔において収集され、別の非ユーザが入力した患者のパラメータデータ値の排除をし、
前記非ユーザによる患者のパラメータデータ値は、ユーザが選択した前記特定の収集間隔の略中央時点により近いものであるユーザ・インターフェース・システム。
【請求項８】
請求項４に記載のユーザ・インターフェース・システムにおいて、前記患者のパラメータは少なくとも（ａ）血圧パラメータ、（ｂ）人工呼吸器パラメータ、（ｃ）生命兆候パラメータ、（ｄ）血中酸素濃度を表すパラメータ、（ｅ）点滴に伴う輸液ポンプ・パラメータを含むユーザ・インターフェース・システム。
【請求項９】
請求項４に記載のユーザ・インターフェース・システムにおいて、前記データプロセッサは、収集時間間隔のうち前記中央時点の前後どちらかの側の略半分の収集時間間隔において収集された患者パラメータを分析することによって、ユーザが選択した前記特定の収集時間間隔の中央時点に最も近い時点の前記患者のパラメータデータ値の決定をするユーザ・インターフェース・システム。
【請求項１０】
請求項４に記載のユーザ・インターフェース・システムにおいて、前記イメージを表示するトレンド表示ディスプレイ上でのユーザによるカーソルの位置取りに応答して、少なくとも（ａ）測定及び（ｂ）収集した前記患者のパラメータポイントが表示されるユーザ・インターフェース・システム。
【請求項１１】
請求項４に記載のユーザ・インターフェース・システムにおいて、前記収集プロセッサは、患者モニター装置から前記複数のデータ値を含む患者のパラメータを表す前記データを収集するユーザ・インターフェース・システム。
【請求項１２】
ユーザが選択可能な収集時間間隔を含むある期間をカバーするトレンド表示ディスプレイに患者の医療パラメータデータを提供する方法であって、
収集時間間隔の間隔長を決定するユーザの入力データを受信するステップと、
患者モニター装置からおのおのが前記間隔長を持つ複数の患者パラメータ収集時間間隔のうち複数の異なる時点に対応する複数のデータ値を含むある患者のパラメータを表すデータを収集するステップと、
前記複数の患者パラメータ収集時間間隔の略中央時点に最も近い時点の患者のパラメータデータ値を、前記間隔長を持つ前記複数の患者パラメータ収集時間間隔に対して決定し、前記複数の患者パラメータ収集時間間隔内に収集された患者の他のパラメータデータ値の排除をするステップと、を含む方法。
【請求項１３】
請求項１２に記載の各ステップを実施するためのコンピュータ読取可能な命令を含む記録媒体。
【請求項１４】
ユーザが選択可能な収集時間間隔を含むある期間をカバーするトレンド表示ディスプレイのための患者の医療パラメータデータを提供する方法であって、
ある期間を含む複数のユーザが選択可能な患者パラメータ収集間隔のうち複数の異なる時間に対応する複数のデータ値を含む患者のパラメータを表すデータを患者モニター装置から収集するステップと、
ユーザが選択可能な特定の収集時間間隔に対して、ユーザが選択した前記特定の収集時間間隔の略中央時点に最も近い時点の患者パラメータデータ値の決定をするステップと、
ユーザが選択可能な前記特定の収集時間間隔内に収集された患者の他のパラメータデータ値の排除をするステップと、
ユーザが選択可能な前記特定の収集時間間隔における前記決定をした患者パラメータデータ値を含む前記患者パラメータのトレンド表示ディスプレイを表示するイメージを表すデータを生成し、前記排除をしたデータ値の省略をするステップと、を含む方法。
【請求項１５】
請求項１４に記載の各ステップを実施するためのコンピュータ読取可能な命令を含む記録媒体。
【発明の詳細な説明】
【技術分野】
【０００１】
本発明は、医療情報を順応しつつ処理して表示する技術、より具体的には、ネットワーク環境において、ユーザが設定可能なディスプレイに患者の医療データを処理して表示する技術に関する。
【背景技術】
【０００２】
患者の医療パラメータ・データは、病院、クリニック、その他の医療提供施設において患者の医療ケアを提供するために収集され、照合され、保存され、表示される。患者の医療パラメータ・データは、生命兆候、人工呼吸器情報、点滴の際の輸液ポンプデータ、その他のデータを含む。このような患者の医療パラメータ・データは、典型的には、患者のモニター装置の画面に時間軸を持つトレンド表示チャートに表示される。このようなタイプのチャートは一般にフローシートと呼ばれている。患者モニター装置は、患者のベットサイド、病棟または集中治療室のナースステーション、手術室、その他の場所に設置され、ローカルソース（例えば、患者に設置されたセンサー）あるいはリモートソース（例えば、遠隔地で収集された電子患者記録）から患者のパラメータ・データを収集するために、インターネット、ＬＡＮ、ＷＡＮまたはイントラネットのようなネットワークに接続していてもよい。フローシートは、紙の生命兆候フローシートの代用となる患者情報の電子時間軸チャートである。
【０００３】
電子フローシートは、それが置き換える紙のフローシート・チャートと同等或いはより良好な機能及び柔軟性を提供することが望まれる。電子フローシートは、ユーザが選択可能な患者のパラメータ収集時間間隔を含む期間をカバーしているトレンド表示ディスプレイを提供する。ユーザが選択可能な収集時間間隔は、フローシートのカラムにより表され、患者のパラメータが取得される期間（概して３分から４時間または他のユーザが選択可能な時間間隔）をカバーする。
【発明の開示】
【発明が解決しようとする課題】
【０００４】
既存のフローシート・システムでは、トレンド表示ディスプレイにおいて、特定のパラメータ収集時間間隔を表すパラメータ値を選ぶ際に問題が起こる。具体的には、既存のシステムにおいては、特定の収集時間間隔において表示されるパラメータ値は、その時間間隔を代表しないことがある。これは、収集時間間隔に対して表示された時間値をラベル付けし、特定の時間に受信したパラメータ値を、そのラベル付けした時間値に先行するかまたは含む、表示されたラベル付けした間隔に、自動的に割り当てる既存のシステムにおいて起こる。同様に、それは、特定の時間に受信したパラメータ値を、そのラベル付けした時間値に続くかまたは含む、表示されたラベル付けした間隔に、自動的に割り当てる既存のシステムにおいて起こる。この様な既存のシステムにおいて、手動で入力されたパラメータ値またはユーザによって正確であると表示されたパラメータ値は、誤ったラベルをつけられた時間間隔において、同じように誤解を招くように表示されることがある。発明原理によるシステムは、これらの課題および派生的な課題に対処する。
【課題を解決するための手段】
【０００５】
発明原理によるシステムは、特定のフローシート・パラメータ収集時間間隔のカラムの中心の時点に最も近いパラメータを、好適に自動的に表示する。システムは、患者の医療パラメータ・データを、ユーザが選択可能な収集時間間隔を含む期間をカバーしているトレンド表示ディスプレイに提供する。システムは、ユーザが入力した収集時間間隔の間隔長を表すデータを受信し、個々に間隔長を有している複数の患者のパラメータ収集時間間隔の中で複数の異なる時間に対応する複数のデータ値を含む患者のパラメータを表すデータを収集する収集プロセッサと、前記複数の患者パラメータ収集時間間隔の略中央時点に最も近い時点の患者のパラメータ・データ値を、前記間隔長を持つ前記複数の患者パラメータ収集時間間隔に対して決定し、前記複数の患者パラメータ収集時間間隔内に収集された患者の他のパラメータ・データ値を排除するデータプロセッサと、を含む。
【発明を実施するための最良の形態】
【０００６】
発明者は、特定のフローシートのカラムの中央時点に最も近い特定のフローシートの時間間隔のカラムに、自動的に選択されたパラメータ値を示すデジタル・フローシートを提供することが望ましいと認識した。このために、システムは、特定のフローシートのカラムの中央時点のいずれかの側の収集時間間隔の半分において収集したパラメータを好適に格納して、検査する。システムは、特定のフローシートのカラムにおける表示のために、検査されたパラメータ値から、前記特定のフローシートのカラムの中央時点に最も近く観測されたパラメータ値を選択する。しかしながら、特定のフローシート収集時間間隔のための手動で入力されたパラメータ値は、フローシート収集間隔を表すものとされ、自動的に受信されるパラメータ値と交換されることはない。自動的に受信する値がフローシートの収集間隔の中央時点により近い場合であっても、これは同様である。表示された画像を通じてなされたユーザ指令に応答して確証されたものとして表されたユーザが入力したパラメータ値は、自動的に取得された患者のパラメータ・データと交換されることはない。
【０００７】
図１は、識別された収集時間間隔の中で、患者のパラメータのトレンド表示ユーザ・インターフェース（フローシートと呼ばれる）を提供している実行可能アプリケーション１９のホストであるサーバ２０を含むネットワークの典型的なブロック図である。例えば、フローシートは、静脈内輸液、滴投与薬物、血液製剤、血圧、人工呼吸器、実験室試験データ、組織スコア、生命徴候、血液酸素濃度および輸液ポンプによる点滴と関連する異なる種類のパラメータを示すことができる。別の実施形態では、フローシート・ユーザ・インターフェースを提供している実行可能アプリケーションは、図１に示されるネットワークのいかなる一部の他の処理デバイスにおいて存在していてもよい。通信網１（図１）は、市内区域および広域ネットワークの階層を有する互換性を持つネットワークが相互接続したＩＰ（インターネット・プロトコル）により表される。現在の典型的な病院または医療ネットワークはＩＰ互換性を持つネットワークであるが、光あるいは無線ネットワークのような、またこれに限られないが、その他のタイプのネットワーク、或いはたとえば、Ｘ．２５、フレーム・リレー、ＩＢＭ  ＳＮＡなどの、またこれらに限られないが、その他のコンピューティングプロトコルを使うネットワークのタイプも使用可能であることを当業者は容易に理解することに留意する必要がある。加えて、記載されている典型的なネットワークが階層ネットワークであるが、これは本発明において必須ではない。ネットワーク上のデバイスの通信接続性を提供する任意のタイプのネットワークアーキテクチャが使用可能である。
【０００８】
図１に示すように、典型的な階層的なネットワーク１の第一のレベルは医療用・インターフェース・バス（ＭＩＢ）２を含む。ＭＩＢは、医療装置をローカルにつなぐためのよく知られた医療業界標準である。図１に示すように、ＭＩＢ２は、患者の部屋に置かれた医療装置を特定の患者へのケアを管理する部屋と相互接続するために、そして特定の患者をモニターするために典型的に用いられる。さまざまな医療装置が、ＭＩＢ２を経て接続可能である；例えば、図１に示される実施例は、人工呼吸器６ａ、ＩＶ（輸液）ポンプ８または他の医療機器１０を含む。イーサネット（登録商標）互換のＬＡＮネットワーク３と接続するために、ＭＩＢ２は、第二レベルのＬＡＮネットワーク３に、インターフェース・ドッキング・ステーション装置１２経由で典型的に接続される。ＬＡＮ３は、例えばシーメンス・メディカル・システム社によって販売されているＩＮＦＩＮＩＴＹ  ＬＡＮであってもよい。この、より上位レベルのＬＡＮ３は、組織の大きさにもよるが、集中治療部門、手術部門など、病院の特定の部門で典型的に使われるが、これは必然ではない。
【０００９】
図１には示されていないが、ＬＡＮ３を通じて複数の患者がモニターされ、あるいはケアを提供されるために、複数のＭＩＢは第二レベルのＬＡＮ３に接続可能である。加えて、医療装置は、より上位レベルのＬＡＮ３に直接接続可能である。例えば、図１に示すように、ＭＩＢの使用なしで、人工呼吸器６ｂおよび麻酔システム２２は、直接ＬＡＮ３に接続している。さらにまた、ＬＡＮ３は、また、イーサネット（登録商標）互換の病院ＬＡＮバックボーン４に相互接続可能である。このバックボーン・ネットワーク４は、病院または医療組織内でさまざまな部門間の、例えば、研究所システム１７と病院管理システム１５を接続し、通信コネクティビティを提供する。加えて、病院ＬＡＮ４は、例えばインターネット２９を介して、例えば遠隔診療室２３あるいは遠隔介護サイト２４から、ネットワーク１上のさまざまなシステムおよび装置にリモート、セキュアなアクセスを提供する、リモート・アクセス・ゲートウェイ１１を有する。あるいは、例えば、遠隔サイトはまた、個人的な接続のダイヤルアップ電話ポート、ＡＤＳＬまたは他方式で直接リモート・アクセス・ゲートウェイ１１にアクセスすることができる。リモート・アクセス・ゲートウェイ１１はまた、下記のように従来技術において知られているようにスタンド・アロンでなく、サーバ２０の一部であってもよい。
【００１０】
本発明の原理によれば、実行可能アプリケーション１９（または、他の実施例では複数のアプリケーション）は、例えば、ＨＬ７インターフェースを通じて接続される研究所システム１７を経て供給される研究結果を含めて、ＬＡＮ３に或いは病院ＬＡＮ４に接続された周辺医療装置または施設からのデータ収集及び処理のために、ＬＡＮ３上のセントラル・サーバ２０上に存在している。例えば、図１に示すような複数の医療装置から得られる更なる研究結果を含む付加的な医療パラメータ・データは、ＡＴＳＭメッセージングを使用するサーバ２０によって取得可能である。検査結果を含めた、収集された所定の患者に関する医学パラメータは、図１ネットワークのいかなるレベルにおいても、モニター５ａ、５ｂまたはＰＣ２６および３９あるいはその他のディスプレイ・ホスティング装置のために、ネットワーク１上の医療装置から得られる。（例えばＬＡＮ３、４のように）全ての異なるレベルのＬＡＮは図１におけるリモートサイトのように互いに接続されているので、当業者は、サーバ２０がネットワーク１の階層のいかなるレベルにも存在することができると直ちに認識できる。サーバ２０の例はシーメンス・メディカル・システム社によって市場に出されたプロメテウス・サーバである。サーバは、例えば、マイクロソフトＮＴオペレーティングシステムが実行可能なコンピュータシステムによってホスト可能である。
【００１１】
患者に取付けられた機材から得られる患者のパラメータ・データは、連続的あるいは離散的なタイプにより特徴づけられることが可能である。連続的な患者のパラメータ・データは、概して表示された収集間隔より高い頻度で間をおいて周期的にサンプルされ収集される。そして、離散的な患者のパラメータ・データは非周期的間隔（例えば、看護婦の測定の開始に応じて）でまたは連続的な患者のパラメータ・データと比較して比較的低い頻度の周期的間隔で収集される。サーバ２０の実行可能アプリケーション１９は、収集時間間隔を表すフローシートのカラムの表示のために、個々の収集時間間隔の略中央時間（またはそれに相当に近い）に起こる患者のパラメータ値を選ぶことによって、収集した連続的な患者のパラメータ・データに自動的にフィルターをかける。具体的には、選択された連続的な患者のパラメータ値は、個々の収集時間間隔を表す（ウェブ・ベースの）インターネット互換性を持つフローシートのカラムにおいて取り扱われる。サーバ２０の実行可能アプリケーション１９は、フローシートのカラムにおいて表示をするために、個々の収集時間間隔の中心の時間に最も近くに起こった患者のパラメータ値を選択することによって、自動的に離散的に収集した患者のパラメータ・データにフィルターをかける。更に、サーバ２０の実行可能アプリケーション１９は、好適に、臨床医（または他のユーザ）がフィルター処理されたデータ・ポイントを調査し、編集し、確証しまたは注釈を付すための、（そして自動的にフィルターを掛けたデータを上書きするための）、あるいは収集した患者のパラメータ・データがフローシートのカラムの収集間隔を表すために代わりのデータを選択するための、カーソル・ツールおよびユーザ・インターフェース画像ウインドウをサポートする。
【００１２】
アプリケーション１９は、ユーザが選択可能な収集時間間隔を含む時間をカバーする患者のパラメータのトレンド表示ディスプレイのユーザ・インターフェースを提供する。  フローシートにおけるカラムによって表されるユーザ選択可能な収集時間間隔は、患者パラメータが収集される期間（典型的には３分から４時間、或いはユーザが選択可能な範囲）をカバーする。アプリケーション１９は、個々の収集時間間隔を表すフローシートのカラムにおいて表示するために患者のパラメータ値を選択することによって、収集した患者のパラメータ・データに自動的にフィルターをかける。具体的には、選択された患者のパラメータ値は、個々の収集時間間隔を表すインターネット互換の（Ｗｅｂベースの）フローシートのカラムに関連付けられる。
【００１３】
図２は、実行可能アプリケーション１９によって実行される機能をフローチャート形式で示す。サーバ２０の実行可能アプリケーション１９は、スタート・ステップ２０１の後、ステップ２０２に示されるように、ネットワーク上の装置と通信を確立する。公知技術の様に、これは、例えば、ＩＰプロトコルおよび、あらゆるより高いアプリケーション層のプロトコルとともに、ネットワーク１（図１）上の各々の装置の既知のＩＰデバイス・アドレスを用いて行われる。一旦通信がサーバ２０および他の装置の間で確立されると、ステップ２０４において、サーバ２０のアプリケーション１９は、収集時間間隔の長さ識別するユーザ入力データを受信する。ステップ２０８において、アプリケーション１９は、ネットワーク上の各種デバイスから、個々に間隔長を有している複数の患者のパラメータ収集時間間隔の内の複数の異なる時間に対応する複数のデータ値を含む患者のパラメータを表しているデータを取得する。パラメータは、例えば、血圧パラメータ、呼吸或いは人工呼吸器パラメータ、生命兆候パラメータ、血中酸素濃度を表すパラメータ、点滴に伴う輸液ポンプ・パラメータ、滴薬物パラメータおよび他の流体関連したパラメータであってもよい。収集された他のパラメータは、研究所結果と、さまざまなモニタ装置のために選ばれる設定と、を含む。前述のように、研究所結果は、ＬＩＳ１７を有するＨＬ７インターフェースで、または図１において表したＡＳＴＭまたはＭＩＢ診療時点（ＰＯＣ）医療装置を経て得られてもよい。
【００１４】
医療データおよび研究所結果は、連続的に、周期的にまたは非周期的に収集されてもよく、サーバ２０のリレーショナル・データベース２５の記憶のために患者の既知の事実と相関していてもよい。データベース２５は、マイクロソフトＳＱＬサーバのような関係データを格納するために使用するタイプであってもよい。加えて、アプリケーション１９は、例えば、患者のパラメータ・データ及び図１の研究所システム１７において最初に入力され、格納された医学研究成果を含む患者データを収集してもよい。また、アプリケーション１９は、診療施設において入力された医療ノートを表示するために収集してもよい。ステップ２１０において、アプリケーション１９は、ユーザにより選択された間隔長の複数の患者のパラメータ収集時間間隔に対して、複数の患者のパラメータ収集時間間隔の略中央時点に最も近い患者のパラメータ・データ値を決定する。アプリケーション１９は、複数の患者のパラメータ収集時間間隔のうち収集された他の患者のパラメータ・データ値を除外する。複数の患者のパラメータ収集時間間隔を表すフローシートのカラムは定められた中央時点の値を表示するフローシート・イメージ画面において識別され、ラベル付けされる。
【００１５】
複数の患者のパラメータ収集時間間隔の中央時点に最も近い患者のパラメータ・データ値は、実質的に収集時間間隔の半分であって中央時点の前後いずれかの側の時間間隔のうち収集された患者のパラメータを調べる事によって決定される。１時間の間隔の場合、ディスプレイ・カラムの中央時点の前後の３０分の期間が調べられる。ユーザによって入力され（または、マークされた既存のデータ値）、このことにより時間間隔を表すと確認された収集時間間隔データ値は、時間間隔の中央時点に最も近いと決定されたデータ値に優先する。このようなユーザ入力データ値またはマークされたデータ値は、時間間隔の中央時点に時間の近さに基づいて選ばれたデータ値とは交換されることはない。異なる収集時間間隔の間隔長のユーザによる選択に応答して、アプリケーション１９は、ステップ２０４−２１０を繰り返して、新しい間隔長の多数の患者のパラメータ収集時間間隔の略中央時点に最も近い患者のパラメータ・データ値を動的に決定する。アプリケーション１９は、前述したように、新しい間隔長の値の複数の患者のパラメータ収集時間間隔の中で収集された他の患者のパラメータ・データ値を除外する。
【００１６】
ステップ２１２においてアプリケーション１９は、画像が複数の患者のパラメータ収集時間間隔に関連する患者のパラメータ・データ値のフローシート・トレンド表示ディスプレイを表示するイメージを表すデータを生成し、除外されたデータ値を省略する。具体的には、アプリケーション１９は、図３−１２のイメージにより例証される画像の生成を始める。特に、図３−７のイメージは、システムのオペレーションを例示する。１４:００(項目３０５)にラベル付けされたパラメータ収集間隔のなかで図４のフローシート・トレンド表示ディスプレイにおいて表示されて、図３のイメージは、１３：４４にユーザによって３０単位のコデイン薬物（項目３００）が投与されたことを示している。これは、コデイン薬物が、中央時点として１４：００にラベル付けされたパラメータ収集間隔に最も近い１３:４４に投与されたものが確認されたからである。
【００１７】
図５のイメージにおいて項目３１０として表され、１４：０１にその同じ患者に投与された２０単位のコデイン薬物のユーザによる投与に応答して、中央時点として１４:００とラベル付けされたフローシート・イメージ収集間隔は、投与された２０単位（図６において項目３１５として示されている）を示すように変化する。２０単位のドーズが中央時点間隔の１４：００により近い時間に投入されたために、３０の単位のドーズは除外される。もしユーザが表示された項目３１５（例えば、マウスやその他のカーソル操作デバイスを使って）にカーソルを合わせた場合には、２０単位のドーズ（１４:０１）に関連するそのユーザの入力した時間が好適に示される。加えて、（図３−６のように）１時間の代わりに、１５分の異なるパラメータ収集時間間隔をユーザが選択したことに応答して、図７においてそれぞれ項目３２０および３２５に示すように、２０単位のおよび３０単位の値がともに表示される。これは、３０単位のドーズの入力時間（１３：４４）が１３：４５とラベル付けされた中央時点間隔に最も近く、２０単位のドーズの入力時間（１４：００）が１４：００とラベル付けされた中央時点間隔に最も近いからである。さらに、１４：０１の２０単位のドーズ値がその時間間隔を表すことを、ユーザが（データ入力によって）示した場合には、たとえ、１４：００により近い別のコデインのドーズ値が入力されたとしても、２０単位のドーズは優先的に扱われ、１４：００カラムの時間間隔を表すものとして表示される。
【００１８】
図８−１２の表示イメージは、異なる間隔長のパラメータ収集時間間隔のうち、図８の同じデータ値４００（ＴＩＳＳ２８スコアリング値）のフローシート・トレンド表示ディスプレイを表示するシステムオペレーションをさらに例示している。図９−１２のイメージは、ラベルをつけられたカラムの中央時間へのデータ値の近さに基づいてフローシート表示のためのＴＩＳＳ２８スコアリングデータ値４００の特定の値の選択を例示している。図９−１２のイメージもまた、連続的に収集されたデータ値（例えば、ＨＲ−心拍数）であって、中央時間としてラベル付けされたカラムと関連するデータ値を示す。図９は、時間軸４１０において表示された１５：３０と１６：３０の間の５分の間隔長を持つ収集時間間隔において表示された列４０５における典型的な組織のスコアリングデータ値を示す。列４０５は、１５:５０、１６:００及び１６：１５の中央時間のカラムにおける３つのデータ値を示す。もしユーザが（例えば、マウスを使って）１６：１５の時間間隔カラムにおいて表示された値（４１）にカーソルを合わせた場合には、値（１６：１４、項目４１５）に関連してそのユーザの入力した時間が表示される。更に、図９のアップデート時間軸ディスプレイ項目４２０を使って異なる（１５分）をユーザが選択したことに応答して、典型的なデータ値は１５分の間隔長間隔で図１０の列４０５において、表示される。図１０において１４：３０、１４：４５、１６：００、１６：１５の中央時間のカラムにおいて５つの値が表示される。同様に、図１１において１４：３０、１６：００、１６：３０（３０分間隔長）の中央時間のカラムにおける列４０５において３つの値が表示され、図１２において１４：００、１６：００（１時間間隔長）の中央時間のカラムにおける列４０５において２つの値が表示される。
【００１９】
本発明の一態様において、ユーザは、図１に示すようにＭｉｃｒｏｓｏｆｔ  Ｗｉｎｄｏｗｓ（登録商標）互換性を持つＰＣ２６またはＷｉｎｄｏｗｓ（登録商標）ＮＴ互換性を持つＰＣ３９を使用可能であり、所定の患者に関連付けられたフローシート、医療パラメータ、及び研究結果情報を見るために、（例えばＭｉｃｒｏｓｏｆｔ  Ｉｎｔｅｒｎｅｔ  ＥｘｐｌｏｒｅｒやＮｅｔｓｃａｐｅ  Ｎａｖｉｇａｔｏｒなどのような）ウェブ・ブラウザのようなメニュー生成可能なプログラムを実行可能なその他の処理装置を使用できる。すなわち、通信接続がサーバ２０およびアプリケーション１９に可能である限り、要求を送り、データベース２５に格納される情報を見るために、ユーザは処理デバイス上のウェブ・ブラウザを使用できる。これは有利である。その理由は、医師は例えば、フローシートまたは研究検査結果に、例えば、専用端末にアクセスすることなく、リモートの医師のオフィス２３からアクセスすることが可能であるからである。もちろん、ユーザは、周知のように、ユーザ・コンピュータ上でユーザの選択又はリクエストを入力するために、キーボードおよび／またはマウスを使用できる。アプリケーション１９は、従って、例えば、データをウェブ・ブラウザに表示するために、例えば、ＨＴＭＬ（ハイパー・テキスト・マークアップ言語）プログラミング言語と互換性を持つように、医療データを照合して、フォーマットすることができる。例えば、アプリケーション１９は、また、要求を生成するユーザのウェブ・ブラウザから発信されたＨＴＴＰ（ハイパーテキスト・トランスファー・プロトコル）コマンドに応答する。図２のプロセスはステップ２１４で終了する。
【００２０】
図１３は、フローシート・トレンド表示ディスプレイを構成して提供するデータの生成のために、また患者の医療情報を含むデータベース２５を照合、検索、更新するための、本発明による機能を含むサーバ２０（図１）の典型的なブロック図である。本願明細書において、記載されているさまざまな機能を実行するための指示を行うために動く実行可能アプリケーションまたはプロセッサは、フローチャート関連処理を実行するための実行可能アプリケーション１９と、ネットワークからある患者に割り当てられ、モニターされたパラメータを含む患者データを収集して、データベース２５への保存のための情報を照合するコミュニケーション・プロセッシング・モジュール２５０２と、を含む。ナビゲーション照合プロセッサ２５０４は、ユーザ・インターフェースを通じてユーザが選択するさまざまなアプリケーションを通じてナビゲートすると共に、ユーザに表示するためのパラメータを照合して、優先順位をつけるために、ウェブ・ブラウザおよびディスプレイ生成ソフトウェアと連動して作動する。ネーム・サーバ・プロセッサ２５０６は、システムの全体にわたって患者情報を追跡して、更新するために、一意の名前（ＩＤ）を、システム・ネットワークに接続している各々のノードと、システムにおける患者の各々と、に関連させる。入出力データおよび制御信号は、データベース２５およびサーチ・エンジン２３と、通信回線２５１０を経たネットワークと、のインターフェースを有するために、また、さまざまなプロセッサの間で通信するために用いられる。
【００２１】
図１−１３に示されるフローチャート・ユーザ・インターフェース表示イメージ、システムおよび方法は、排他的でない。他のフローチャート構成およびプレゼンテーション表示イメージ、システムおよび方法は、同じ目的を達成するために本発明の原則に従って引き出されてもよい。本発明は特定の実施例を参照して記載されているが、本願明細書において、図と共に記載される実施例およびバリエーションは例示目的のためにあり、そして、さまざまな変更態様が本発明の範囲内において、当業者により行うことができると理解されている。システムは、データベースから連続的及び離散的（偶発的）なデータを、ユーザにより選択された期間間隔長において表示するために、好適にユーザが選ぶことを可能にする。
【図面の簡単な説明】
【００２２】
【図１】本発明の原則による各種デバイスを有する通信網のブロック図である。
【図２】本発明におけるユーザ・インターフェースを提供する方法のフローチャートを表す。
【図３】本発明における患者のパラメータのフローシート・トレンド表示ディスプレイを表示しているユーザ・インターフェース表示イメージを示す。
【図４】本発明における患者のパラメータのフローシート・トレンド表示ディスプレイを表示しているユーザ・インターフェース表示イメージを示す。
【図５】本発明における患者のパラメータのフローシート・トレンド表示ディスプレイを表示しているユーザ・インターフェース表示イメージを示す。
【図６】本発明における患者のパラメータのフローシート・トレンド表示ディスプレイを表示しているユーザ・インターフェース表示イメージを示す。
【図７】本発明における患者のパラメータのフローシート・トレンド表示ディスプレイを表示しているユーザ・インターフェース表示イメージを示す。
【図８】本発明における患者のパラメータのフローシート・トレンド表示ディスプレイを表示しているユーザ・インターフェース表示イメージを示す。
【図９】本発明における患者のパラメータのフローシート・トレンド表示ディスプレイを表示しているユーザ・インターフェース表示イメージを示す。
【図１０】本発明における患者のパラメータのフローシート・トレンド表示ディスプレイを表示しているユーザ・インターフェース表示イメージを示す。
【図１１】本発明における患者のパラメータのフローシート・トレンド表示ディスプレイを表示しているユーザ・インターフェース表示イメージを示す。
【図１２】本発明における患者のパラメータのフローシート・トレンド表示ディスプレイを表示しているユーザ・インターフェース表示イメージを示す。
【図１３】本発明の機能を有するサーバのブロック図である。
【図１】
2005525160.tif 000003
【図２】
2005525160.tif 000004
【図３】
2005525160.tif 000005
【図４】
2005525160.tif 000006
【図５】
2005525160.tif 000007
【図６】
2005525160.tif 000008
【図７】
2005525160.tif 000009
【図８】
2005525160.tif 000010
【図９】
2005525160.tif 000011
【図１０】
2005525160.tif 000012
【図１１】
2005525160.tif 000013
【図１２】
2005525160.tif 000014
【図１３】
2005525160.tif 000015
【国際調査報告】
2005525160.tif 000016
2005525160.tif 000017
2005525160.tif 000018